(57)【要約】【課題】側面視がＬ字状となるターミナルを簡素な構造でガタ付くことなく取り付けすることができるようにしたターミナルキャップを提供する。【解決手段】キャップ本体３２と第二カバー（カバー）３４とを備えてターミナルキャップ３１を構成する。キャップ本体３２における電気接触側配置部３５及び電線接続側配置部３６の連続部分には、ターミナルの曲げ部を、その曲げ部の表裏方向から挟持する一対のターミナル挟持部４４、４５の一方、すなわちターミナル挟持部４４を形成する。また、第二カバー３４には、他方となるターミナル挟持部４５を形成する。【選択図】    図１０
2004253223.tif 000002
【特許請求の範囲】
【請求項１】
曲げ部を有する側面視Ｌ字状のターミナルの電気接触部側を配置するための電気接触側配置部、及び前記ターミナルの電線接続部側を配置するための電線接続側配置部を有し、且つこれら前記電気接触側配置部及び前記電線接続側配置部を前記ターミナルの形状に合わせてＬ字状に連続配置形成し、且つ前記電気接触側配置部の上下面及び前記電線接続側配置部の上面を少なくとも開口形成したキャップ本体と、
前記電線接続側配置部の前記上面を覆い前記ターミナルの前記電線接続部に対向するカバーと、
を備え、
前記キャップ本体における前記電気接触側配置部及び前記電線接続側配置部の連続部分には、前記ターミナルの前記曲げ部を該曲げ部の表裏方向から挟持する一対のターミナル挟持部の一方を形成するとともに、前記カバーには前記ターミナル挟持部の他方を形成した
ことを特徴とするターミナルキャップ。
【請求項２】
請求項１に記載のターミナルキャップにおいて、
前記ターミナル挟持部の前記一方又は前記他方のいずれかを、可撓弾性を有する形状に形成した
ことを特徴とするターミナルキャップ。
【請求項３】
請求項１又は請求項２に記載のターミナルキャップにおいて、
前記他方の前記ターミナル挟持部であって前記曲げ部に対し摺接する場合に、該曲げ部に最初に接触する部分をＲ形状又はテーパ形状に形成した
ことを特徴とするターミナルキャップ。
【発明の詳細な説明】
【０００１  】
【発明の属する技術分野】
本発明は、電気配線の端末に取り付けられるターミナル、具体的には曲げ部を有し側面視がＬ字状となるターミナルを対象とした合成樹脂製のターミナルキャップに関する。
【０００２  】
【従来の技術】
電気配線の端末に取り付けられ且つ電気機器の接続端子に接続されるターミナル（接続端子）を覆うものとして、ターミナルキャップが従来より知られている。ターミナルキャップは、電流がリークしないように絶縁したり、ターミナルや電気機器の接続端子に水分や埃が付着しないように保護したりする機能を有している。ターミナルキャップは、一般的に絶縁性を有する合成樹脂材料を射出成形することにより形成されている。以下、図１４及び図１５を参照しながら従来のターミナルキャップの一例を説明する。
【０００３  】
図１４において、引用符号１で示されるターミナルキャップは、例えば下記特許文献１に記載されたものであり、キャップ本体２と、図示しない薄肉のヒンジを介してキャップ本体２に接続される第一カバー３と、その第一カバー３に対して図示しない薄肉のヒンジを介し接続される第二カバー４とを備えて構成されている。このような構成のターミナルキャップ１は、図１５に示されるターミナル５に対して取り付けられるように形成されている。
【０００４  】
ターミナルキャップ１及びターミナル５は、これらの取り付け時においてガタ付くことなく取り付けを行うために、次のような特殊な構造を有している。先ず、ターミナル５から説明すると、ターミナル５は、平面視略円形状の電気接触部６を有している。その電気接触部６の左右両側には、下方にのびる係止片７、７が折り曲げによりそれぞれ連成されている。一方、ターミナルキャップ１のキャップ本体２には、略半円弧状の周壁部８が形成されている。その周壁部８の内側には、ターミナル５の電気接触部６及び係止片７、７を係止するための図示しない係止部が形成されている。図示しない係止部は、嵌め込み部分を有する複雑な構造に形成されている。
【０００５  】
【特許文献１】
実開平６−５４２２２号公報
【０００６  】
【発明が解決しようとする課題】
ところで、上記従来技術にあっては、次のような問題点を有している。すなわち、ターミナルキャップ１及びターミナル５それぞれに、上記のような特殊な構造を持たせなければならないという問題点を有している。また、上記従来技術を応用して側面視がＬ字状となるターミナルを対象としたターミナルキャップを成形し、これを用いようとした場合には、上記図示しない係止部に対応する部分において、ターミナルの嵌め込みが非常に困難になってしまうという問題点を有している。
【０００７  】
その他、ターミナルキャップ１の内側には、ターミナル５の電線加締め部分（電線接続部）９を押さえ付けるための倒コ字状のアーチ部が形成されている。そのアーチ部は、非常に細いもので取り付け後に永久変形してしまうという問題点を有している。従って、取り付け直後はアーチ部によりガタ付きをおさえられるものの、その後は十分に機能しないという問題点を有している。
【０００８  】
尚、上記アーチ部のみでガタ付きなしに取り付けするのは困難である。何故ならば、上記のような永久変形があるとともに、加締め高さのバラツキがあるためである。その他、ターミナルが同じであっても、接続される電気配線（電線）のサイズが異なれば当然に加締め高さが異なることから、ターミナルキャップに汎用性を持たせることができないという問題点も有している。
【０００９  】
本発明は、上述した事情に鑑みてなされるもので、側面視がＬ字状となるターミナルを簡素な構造でガタ付くことなく取り付けすることができるようにしたターミナルキャップを提供することを課題とする。
【００１０  】
【課題を解決するための手段】
上記課題を解決するためなされた請求項１記載の本発明のターミナルキャップは、曲げ部を有する側面視Ｌ字状のターミナルの電気接触部側を配置するための電気接触側配置部、及び前記ターミナルの電線接続部側を配置するための電線接続側配置部を有し、且つこれら前記電気接触側配置部及び前記電線接続側配置部を前記ターミナルの形状に合わせてＬ字状に連続配置形成し、且つ前記電気接触側配置部の上下面及び前記電線接続側配置部の上面を少なくとも開口形成したキャップ本体と、前記電線接続側配置部の前記上面を覆い前記ターミナルの前記電線接続部に対向するカバーと、を備え、前記キャップ本体における前記電気接触側配置部及び前記電線接続側配置部の連続部分には、前記ターミナルの前記曲げ部を該曲げ部の表裏方向から挟持する一対のターミナル挟持部の一方を形成するとともに、前記カバーには前記ターミナル挟持部の他方を形成したことを特徴としている。
【００１１  】
請求項２記載の本発明のターミナルキャップは、請求項１に記載のターミナルキャップにおいて、前記ターミナル挟持部の前記一方又は前記他方のいずれかを、可撓弾性を有する形状に形成したことを特徴としている。
【００１２  】
請求項３記載の本発明のターミナルキャップは、請求項１又は請求項２に記載のターミナルキャップにおいて、前記他方の前記ターミナル挟持部であって前記曲げ部に対し摺接する場合に、該曲げ部に最初に接触する部分をＲ形状又はテーパ形状に形成したことを特徴としている。
【００１３  】
請求項１に記載された本発明によれば、ターミナルの電気接触部側をキャップ本体の電気接触側配置部に配置するとともに、ターミナルの電線接続部側をキャップ本体の電線接続側配置部に配置して、ターミナルをキャップ本体にセットし、その後、カバーをキャップ本体に対して覆うと、ターミナル挟持部によってターミナルの曲げ部が挟持される。これによりターミナルのターミナルキャップに対する取り付けが完了する。
ターミナル挟持部により挟持されたターミナルは、ターミナルの曲げ部において挟持されることから、単にターミナルの平坦な部分を挟持するよりも確実且つ容易にガタ付きをおさえることが可能になる。また、ターミナルキャップは、ターミナルの嵌め込みを前提とした取り付けを有するものでないことから、構造が簡素になり、簡単にターミナルを取り付けすることが可能になる。さらに、ターミナルキャップは、ターミナルに接続される電線のサイズに関係なくターミナルをガタ付きなく取り付けすることが可能になる。
【００１４  】
請求項２に記載された本発明によれば、ターミナルの曲げ部が挟持される際に、ターミナル挟持部の一方又は他方のいずれかが撓み、その撓みにより生じる反力によってターミナルが押さえ付けられる。尚、ターミナルやターミナルキャップの寸法にバラツキがある場合、そのバラツキを吸収することも可能になる。
【００１５  】
請求項３に記載された本発明によれば、ターミナルの曲げ部に最初に接触する部分がＲ形状又はテーパ形状であることから、カバー側のターミナル挟持部がターミナルの曲げ部に対して摺接する場合、その摺接への移行がスムーズに行われる。
【００１６  】
【発明の実施の形態】
以下、図面を参照して本発明の実施の形態を説明する。
図１は本発明のターミナルキャップとターミナルと電気機器との関係を示す説明図である。また、図２は本発明のターミナルキャップの一実施の形態を示す正面図、図３は平面図、図４は右側面図、図５は左側面図、図６はＡ−Ａ線断面図、図７は正面側からの斜視図、図８は背面側からの斜視図、図９は第一及び第二カバーを閉じた状態の正面図、図１０はＢ−Ｂ線断面図である。さらに、図１１はターミナルを取り付けた状態のターミナルキャップの正面図、図１２は左側面図、図１３はＣ−Ｃ線断面図である。
【００１７  】
先ず、本発明に係るターミナルキャップの説明に先立って、図１を参照しながら電気配線を電気機器の接続端子に接続する部分の構造を説明する。図１において、電気配線（電線）１１の端末には、側面視がＬ字状となるターミナル１２が接続されている。一方、電気機器（ここでは車両のスタータを一例に挙げる）１３の接続端子１４には、ターミナル１２がナット１５により螺着されるようになっている。
【００１８  】
ターミナル１２は、導電性を有する平板をプレス加工することにより形成されており、電気接触部１６と電線接続部１７と曲げ部１８とを有して構成されている。電気接触部１６は電気機器１３側に、電線接続部１７は電気配線１１側にそれぞれ配置形成されている。また、曲げ部１８は、電気接触部１６と電線接続部１７との間に配置形成されている。
【００１９  】
電気接触部１６には、スタッドボルト状の接続端子１４が挿通される貫通孔１９が形成されている。また、電気接触部１６には、一対の当接片２０、２０（一方のみ図示）が形成されている。尚、当接片２０、２０は、その形成が任意であるものとし、従来例で示した係止片７、７（図１５参照）とは異なる機能を有するものとする。貫通孔１９と曲げ部１８との間には、平坦な部分が形成されている。
【００２０  】
電線接続部１７には、一対のかしめ片２１、２１及び２２、２２（共に一方のみ図示）が形成されている。電気配線１１の端末は、一対のかしめ片２１、２１及び２２、２２の加締めにより電気的な接続と固定とがなされている。電気配線１１の端末の接続部分と曲げ部１８との間には、平坦な部分が形成されている。
【００２１  】
次に、本発明に係るターミナルキャップを説明する。図１ないし図１３において、引用符号３１で示されるターミナルキャップは、ターミナル１２を電気機器１３の接続端子１４に接続固定した部分を覆い、周囲の物体がターミナル１２や接続端子１４に接触してリークしたり、水分や埃がターミナル１２及び接続端子１４等に付着したりしないように保護する役目を果たすように形成されている。
【００２２  】
ターミナルキャップ３１は、絶縁性を有する合成樹脂材料（例えばＰＡ）を射出成形することにより形成されており、キャップ本体３２と第一カバー３３と第二カバー３４とを備えて構成されている。ターミナルキャップ３１は、キャップ本体３２と第一カバー３３と第二カバー３４とによってターミナル１２全体を覆うように構成されている。尚、第二カバー３４は、特許請求の範囲に記載したカバーに相当するものとする。以下、上記各構成について詳細に説明する。
【００２３  】
キャップ本体３２は、電気接触側配置部３５及び電線接続側配置部３６を有している。また、キャップ本体３２は、電気接触側配置部３５及び電線接続側配置部３６をターミナル１２の形状に合わせてＬ字状に連続配置することにより形成されている。
【００２４  】
電気接触側配置部３５は、ターミナル１２の電気接触部１６側を配置するための部分に形成されている。このような電気接触側配置部３５は、Ｕ字状の帯板若しくはＵ字状の枠のような形状に形成されている。電気接触側配置部３５の上下面は、開口するように形成されている。すなわち、電気接触側配置部３５の上面は、ナット１５の締め付けを行うために開口成形されている。また、電気接触側配置部３５の下面は、電気機器１３の接続端子１４を挿通するために開口成形されている。電気接触側配置部３５には、第一カバー３３に対する係止突起３７、３７とガイド片３８とが形成されている。本形態において、電気接触側配置部３５における上下とは、ターミナルキャップ３１の長手方向（又は接続端子１４に対する接続方向）に一致するものとする。
【００２５  】
電気接触側配置部３５は、電線接続側配置部３６の一端側に連成されている。具体的には、電線接続側配置部３６の一端側に対し直交するように連成されている。電線接続側配置部３６の一端は、コ字状の帯板若しくはコ字状の枠のような形状に形成されている。このような上記一端には、第一カバー３３がヒンジ３９を介して連成されている。尚、第一カバー３３については後述する。上記一端においてヒンジ３９の反対側には、係止用の凹部４０が形成されている。
【００２６  】
電線接続側配置部３６は、ターミナル１２の電線接続部１７側を配置するための部分に形成されている。このような電線接続側配置部３６は、左右に側壁４１、４２を有している。その側壁４１、４２の各一端側には、電気接触側配置部３５が連成されている。電線接続側配置部３６の中間には、底壁４３が形成されている。その底壁４３は、側壁４１、４２に跨って形成されている。尚、電気機器１３に対向する側を電線接続側配置部３６の下面とすると、その下面側に底壁４３が配置形成されている。電線接続側配置部３６の上面は、ターミナル１２の取り付けを行うためにその全面が開口形成されている。電線接続側配置部３６の一端側及び他端側は、共に下面が開口形成されている。本形態において、電線接続側配置部３６における上下は、電気接触側配置部３５の上記上下とは向きが異なるものとする。
【００２７  】
電気接触側配置部３５と電線接続側配置部３６との連成部分には、本発明の要部となる一対のターミナル挟持部４４、４５の一方、すなわちターミナル挟持部４４が形成されている。そのターミナル挟持部４４は、側面視が略Ｌ字状となる形状に形成されている。具体的には、ターミナル１２の曲げ部１８の裏面に対して線又は面接触するように形成されている。このようなターミナル挟持部４４は、底壁４３に対して連続するように形成されている。また、ターミナル挟持部４４は、可撓弾性を有するように形成されている。
【００２８  】
ターミナル挟持部４４には、リブ４６と一対のリブ４７、４７とが形成されている。そのリブ４６及び４７の設定や配置は任意であるものとする。本形態において、ターミナル挟持部４４は、電線接続側配置部３６の中心線上に形成されている。また、ターミナル挟持部４４は、適宜大きさに形成されている。
【００２９  】
尚、ターミナル挟持部４４の数は一つに限らないものとする（他方のターミナル挟持部４５も同様）。また、ターミナル挟持部４４は、それ自体を剛体にして、他方のターミナル挟持部４５に可撓弾性を持たせることも可能であるものとする。さらに、ターミナル挟持部４４、４５の両方とも剛体にすることも可能であるものとする。他方のターミナル挟持部４５については後述する。
【００３０  】
左側の側壁４１には、第二カバー３４に対する係止突起４８が複数形成されている。また、右側の側壁４２には、複数のヒンジ４９を介して第二カバー３４が連成されている。尚、第二カバー３４については後述する。
【００３１  】
底壁４３には、上述の如く、ターミナル挟持部４４が形成されている。また、底壁４３には、ターミナル１２の電線接続部１７を受けてこれを配置する受け部５０、５０と、コルゲートチューブ５１に対する引っ掛け部５２とが形成されている。受け部５０、５０及び引っ掛け部５２は、共に剛体となるように形成されている。
【００３２  】
第一カバー３３は、電気接触側配置部３５の上面を覆いターミナル１２の電気接触部１６に対向する部分であって、その周縁部分には、電気接触側配置部３５の係止突起３７、３７に係止されるコ字状の係止部５３、５３と、電気接触側配置部３５のガイド片３８が差し込まれる案内用凹部５４とが形成されている。また、第一カバー３３の上面には、電気接触側配置部３５の係止用の凹部４０に係止可能な係止突起５５が形成されている。係止突起５５は、ナット１５を締め付ける際に、第一カバー３３が邪魔にならないようにするための部分である。
【００３３  】
第二カバー３４は、電線接続側配置部３６の上面を覆いターミナル１２の電線接続部１７に対向する部分であって、その周縁部分には、電線接続側配置部３６の複数の係止突起４８にそれぞれ係止されるコ字状の係止部５６と、電線接続側配置部３６の側壁４１、４２の内側に差し込まれる複数のガイド片５７と、第一カバー３３の係止突起５５に対する逃がし用の凹部５８とが形成されている。また、第二カバー３４には、上記一方に対して他方となるターミナル挟持部４５が形成されている。
【００３４  】
第二カバー３４において、引用符号５９、６０はターミナル１２の電線接続部１７に対する受け部を示している。また、引用符号６１で示される部分はコルゲートチューブ５１の形状に合わせて円弧状に形成されている。受け部５９、６０は、共に剛体となるように形成されている。
【００３５  】
他方となるターミナル挟持部４５は、側面視が略Ｌ字状となる形状に形成されている。具体的には、ターミナル１２の曲げ部１８の表面に対して線又は面接触するように形成されている。また、曲げ部１８の表面に対して摺接するように形成されている。このようなターミナル挟持部４５の、曲げ部１８の表面に対して最初に接触する部分には、Ｒ又はテーパ６２が形成されている。
【００３６  】
ターミナル挟持部４５には、一対のリブ６３、６３が形成されている。リブ６３の設定及び配置は任意であるものとする。本形態において、ターミナル挟持部４５は、第二カバー３４の中心線上に形成されている。また、ターミナル挟持部４５は、適宜大きさに形成されている。
【００３７  】
本形態において、ターミナル挟持部４４及び４５の間隔Ｓは、ターミナル１２の肉厚よりも若干狭く形成されている。そして、このようなターミナル挟持部４４及び４５によってターミナル１２が挟み込まれると、ターミナル挟持部４４が寸法のラップ分だけ撓み、その撓みにより生じた反力によってターミナル１２が押さえ付けられるようになっている。ターミナル挟持部４４及び４５は、ターミナル１２の曲げ部１８を、その曲げ部１８の表裏方向から挟持するようになっている。
【００３８  】
上記構成において、ターミナル１２とターミナルキャップ３１は、次の第一工程及び第二工程を順に経て取り付けられる。また、ターミナルキャップ３１を取り付けたターミナル１２は、第三工程、第四工程、及び第五工程を順に経て電気機器１３の接続端子１４に取り付けられる。以下、上記各工程について詳細に説明する。
【００３９  】
第一工程は、ターミナル１２をキャップ本体３２に対してセットする工程であり、キャップ本体３２の上面側からターミナル１２を差し込むと、ターミナル１２の電気接触部１６側がキャップ本体３２の電気接触側配置部３５に配置される。また、ターミナル１２の電線接続部１７側がキャップ本体３２の電線接続側配置部３６に配置される。この時、ターミナル１２の曲げ部１８は、キャップ本体３２のターミナル挟持部４４に当接する。尚、電気配線１１には、予めコルゲートチューブ５１が設けられているものとする。
【００４０  】
第二工程は、ターミナル１２をガタ付きなくターミナルキャップ３１に取り付ける工程であり、第二カバー３４をキャップ本体３２に係止させてターミナル１２を覆うと、これと同時にターミナル１２がガタ付きなく取り付けられる。具体的には、先ず、第二カバー３４のターミナル挟持部４５のテーパ６２がターミナル１２の曲げ部１８の表面に当接する。これにより曲げ部１８がターミナル挟持部４５によって押し付けられる。次に、ターミナル１２の曲げ部１８に押されてキャップ本体３２のターミナル挟持部４４が上記ラップ分だけ撓む。続いて、第二カバー３４のターミナル挟持部４５がターミナル１２の曲げ部１８の表面を摺接する。そして、電線接続側配置部３６の係止突起４８に第二カバー３４の係止部５６が係止され、ターミナル１２が第二カバー３４によって完全に覆われると、ターミナル１２の曲げ部１８がターミナル挟持部４４及び４５により表裏方向から挟み込まれ、その結果、ターミナル１２がガタ付きなくターミナルキャップ３１に取り付けられる（図１３参照）。尚、この状態において、電気配線１１を引っ張ったとしてもターミナル１２のガタ付きはない。また、ターミナル１２の電気接触部１６を押したとしてもターミナル１２のガタ付きは同様にない。
【００４１  】
第三工程は、ターミナル１２を電気機器１３の接続端子１４に対してセットする工程であり、ターミナルキャップ３１の電気接触側配置部３５の下面側から接続端子１４を差し込み、その接続端子１４をターミナル１２の電気接触部１６の貫通孔１９に挿通させると、ターミナル１２のセットが完了する。
【００４２  】
第四工程は、ナット１５を締め付けてターミナル１２を螺着させる工程であり、ナット１５をターミナルキャップ３１の電気接触側配置部３５の上面側から締め付けると、ターミナル１２が電気機器１３の接続端子１４に対して電気的に接続される。
【００４３  】
第五工程は、電気接触側配置部３５の上面を第一カバー３３によって覆う工程であり、第一カバー３３をキャップ本体３２に係止させてターミナル１２を覆うと一連の工程が終了する。
【００４４  】
以上、図１ないし図１３を参照しながら説明してきたように、ターミナル挟持部４４及び４５により挟持されたターミナル１２は、ターミナル１２の曲げ部１８において挟持されることから、ターミナル１２の平坦な部分を単に挟持するよりも確実且つ容易にガタ付きのない状態で取り付けすることができる。また、ターミナルキャップ３１は、ターミナル１２の嵌め込みを前提とした取り付けを有するものでないことから、構造が従来例よりも簡素になり、簡単にターミナル１２の取り付けをすることができる。さらに、ターミナルキャップ３１は、ターミナル１２に接続される電気配線１１のサイズに関係なくターミナル１２をガタ付きなく取り付けすることができる。
【００４５  】
その他、本発明は本発明の主旨を変えない範囲で種々変更実施可能なことは勿論である。
【００４６  】
【発明の効果】
以上説明したように、請求項１に記載された本発明によれば、側面視がＬ字状となるターミナルを簡素な構造でガタ付くことなく取り付けすることができるという効果を奏する。また、ターミナルに接続される電線のサイズに関係なくターミナルをガタ付きなく取り付けすることができるという効果を奏する。
【００４７  】
請求項２に記載された本発明によれば、ターミナル挟持部を撓ませることにより生じる反力によって、ターミナルを押さえ付けることができる。従って、より一層ガタ付くことなく取り付けすることができるという効果を奏する。
【００４８  】
請求項３に記載された本発明によれば、ターミナルの取り付けをスムーズにすることができるという効果を奏する。
【図面の簡単な説明】
【図１】本発明によるターミナルキャップとターミナルと電気機器との関係を示す説明図である。
【図２】本発明によるターミナルキャップの一実施の形態を示す正面図である。
【図３】ターミナルキャップの平面図である。
【図４】ターミナルキャップの右側面図である。
【図５】ターミナルキャップの左側面図である。
【図６】図２のＡ−Ａ線断面図である。
【図７】ターミナルキャップの斜視図（正面側からの斜視図）である。
【図８】ターミナルキャップの斜視図（背面側からの斜視図）である。
【図９】ターミナルキャップの正面図（第一及び第二カバーを閉じた状態）である。
【図１０】図９のＢ−Ｂ線断面図である。
【図１１】ターミナルを取り付けた状態のターミナルキャップの正面図である。
【図１２】ターミナルを取り付けた状態のターミナルキャップの左側面図である。
【図１３】図１１のＣ−Ｃ線断面図である。
【図１４】従来例のターミナルキャップの斜視図である。
【図１５】従来例のターミナルの斜視図である。
【符号の説明】
１１  電気配線
１２  ターミナル
１３  電気機器
１４  接続端子
１５  ナット
１６  電気接触部
１７  電線接続部
１８  曲げ部
３１  ターミナルキャップ
３２  キャップ本体
３３  第一カバー
３４  第二カバー（カバー）
３５  電気接触側配置部
３６  電線接続側配置部
３９、４９  ヒンジ
４４、４５  ターミナル挟持部
６２  テーパ
【図１】
2004253223.tif 000003
【図２】
2004253223.tif 000004
【図３】
2004253223.tif 000005
【図４】
2004253223.tif 000006
【図５】
2004253223.tif 000007
【図６】
2004253223.tif 000008
【図７】
2004253223.tif 000009
【図８】
2004253223.tif 000010
【図９】
2004253223.tif 000011
【図１０】
2004253223.tif 000012
【図１１】
2004253223.tif 000013
【図１２】
2004253223.tif 000014
【図１３】
2004253223.tif 000015
【図１４】
2004253223.tif 000016
【図１５】
2004253223.tif 000017